(57)【特許請求の範囲】
【請求項１】
中空穴が縦方向に形成された中空穴付外壁パネルを吊上げて、建物の所定の取付位置へ搬送する際に使用される吊具であって、
前記中空穴付外壁パネルの中空穴に出入り可能であって、吊上げ用ロープを掛着させる掛着部を備えた断面Ｕ字部を有する受具と、
該受具が前記中空穴に挿入された状態で、前記受具の下端近傍で前記中空穴付外壁パネルの厚さ方向と直交する面方向に形成された挿通孔に先端側から着脱自在に挿着された前記中空穴の幅より長さの長い支持具と、
前記支持具の後端側に固定され、且つ、該支持具と所定間隔を開けて略平行な側面部を有する操作板と、を具備することを特徴とする中空穴付外壁パネル施工用吊具。
【請求項２】
前記操作板の側面部に前記挿通孔から前記支持具が抜けないようにするための抜け防止機構を具備したことを特徴とする請求項１に記載の中空穴付外壁パネル施工用吊具。
【請求項３】
前記抜け防止機構は、前記側面部に前記受具の下端外周部が嵌まり込む凹部であることを特徴とする請求項２に記載の中空穴付外壁パネル施工用吊具。
【請求項４】
前記操作板に手掴み部用の開口部を設けたことを特徴とする請求項１乃至請求項３のいずれか一項に記載の中空穴付外壁パネル施工用吊具。
【請求項５】
前記支持具がＬ字型で先端側が前記側面部と略平行で後端側が前記操作板に固定されていることを特徴とする請求項１乃至請求項４のいずれか一項に記載の中空穴付外壁パネル施工用吊具。
【請求項６】
前記操作板の表面に手挟み防止用の突出部を設けたことを特徴とする請求項１乃至請求項５のいずれか一項に記載の中空穴付外壁パネル施工用吊具。
【請求項７】
前記支持具の先端部と前記側面部とが形成する間隔距離が、挿通孔の外周端と受具の操作板側の端縁との距離と略同一であることを特徴とする請求項１乃至請求項６のいずれか一項に記載の中空穴付外壁パネル施工用吊具。
【請求項８】
前記受具の前記操作板と反対側の下端側に外壁受金具に受具を載置するための載置するための段差部を形成したことを特徴とする請求項１乃至請求項７のいずれか一項に記載の中空穴付外壁パネル施工用吊具。
【発明の詳細な説明】
【技術分野】
【０００１】
この発明は、建物の外壁パネル取付工事において、内部の縦方向に中空穴が形成されている中空外壁パネルを吊上げて所定の取付位置に搬送するために使用される中空穴付外壁パネル施工用吊具に関する。
【背景技術】
【０００２】
従来、建物の外壁施工工事において、施工現場に搬入されて積層されている中空穴付外壁パネル（以下、単に外壁パネルという。）Ｐを吊り下げて、所定の取付け位置へ搬送する場合には、図１７に示すように、外壁パネルＰをナイロンスリングＮで胴巻きするようにして玉掛けを行い、この状態で外壁パネルＰを図外のクレーン等で吊下げて搬送して、所定の取付位置に取り付けていた。
【０００３】
しかしながら、ナイロンスリングＮの胴巻きによる搬送は、外壁パネルＰを吊り下げた状態では外壁パネルＰが割れやすく、その場合、外壁パネルＰ落下の恐れがあり大変危険である。又、石やタイル貼り外壁においては、ナイロンスリングＮの締付によりそれら貼り付け部材がはがれ落ちる場合があり、危険性を含んでいた。
このような事情に鑑みて、本出願人らは先に特許文献１に開示の中空外壁パネル用吊具を提案した。
【０００４】
上記特許文献１の従来技術は、図１８、１９に示すように、外壁パネルＰの中空穴Ｓの一端側開口から先端に受具１００を掛着している吊上げ用ロープＲを挿入して、他端側開口から突出した受具１００の下方近傍に形成している前記受具１００と一体の底板１０１付きの挿通孔１０２に、外壁パネルＰの面方向に直交する方向つまり外壁パネルＰの厚さ方向から前記底板１０１の上方位置に抜け防止機構を有する支持具１０３を挿入して、この支持具１０３によって受具１００が吊上げ用ロープＲのクレーン等による吊上げ時には外壁パネルＰの下端側を支えるようにして吊上げられるようにしたものである。
【先行技術文献】
【特許文献】
【０００５】
【特許文献１】特許第３８１６３５８号公報
【発明の概要】
【発明が解決しようとする課題】
【０００６】
上記のような構造としたために、ナイロンスリングＮの胴巻きによる外壁パネルＰの割れによる落下や、ナイロンスリングＮの締付に起因する石やタイル貼り外壁における貼り付け部材の剥がれを未然に防止し安全に施工できたが、新たに次のような問題点を有していた。即ち、クレーン等で吊上げて所定の取付位置まで搬送した外壁パネルを基礎の土台や下方に位置する外壁パネルの上方に着座させる際に、支持具が外壁受金具と外壁パネルの間に挟まれて、バール等の工具を使用しないと抜けなくなる状態になることが生じていた。更に、バールを使用することで外壁パネルを疵付けしたり、バールを抜く際に外壁パネルに手を挟む危険性があった。更に、石やタイルなどの貼り付け部材を有する外壁パネルにおいては、貼り付け部材が剥がれ落ちるという問題点があった。
【０００７】
本発明は、上記のような課題に鑑みてなされたものであって、バール等の工具を用いなくとも容易に支持具を取り外す事が出来、作業者の手を挟む危険性もなく、外壁パネルへの取付部材の剥がれ落ちもほとんど発生しない中空穴付外壁パネル施工用吊具を提供することを目的とする。
【課題を解決するための手段】
【０００８】
上記目的を達成するために、本発明に係る中空穴付外壁パネル施工用吊具は、中空穴が縦方向に形成された中空穴付外壁パネルを吊上げて、建物の所定の取付位置へ搬送する際に使用される吊具であって、前記中空穴付外壁パネルの中空穴に出入り可能であって、吊上げ用ロープを掛着させる掛着部を備えた断面Ｕ字部を有する受具と、該受具が前記中空穴に挿入された状態で、前記受具の下端近傍で前記中空穴付外壁パネルの厚さ方向と直交する面方向に形成された挿通孔に先端側から着脱自在に挿着された前記中空穴の幅より長さの長い支持具と、前記支持具の後端側に固定され、且つ、該支持具と所定間隔を開けて略平行な側面部を有する操作板と、を具備することにある。
【００１０】
前記操作板の側面部に前記挿通孔から前記支持具が抜けないようにするための抜け防止機構を具備したことを特徴とするものである。
【００１１】
前記抜け防止機構は、前記側面部に前記受具の下端外周部が嵌まり込む凹部であることを特徴とするものである。
【００１２】
前記操作板に手掴み部用の開口部を設けたことを特徴とするものである。
【００１３】
前記支持具がＬ字型で先端側が前記側面部と略平行で後端側が前記操作板に固定されていることを特徴とするものである。
【００１４】
前記操作板の表面に手挟み防止用の突出部を設けたことを特徴とすることにある。
【００１５】
前記支持具の先端部と前記側面部とが形成する間隔距離が、挿通孔の外周端と受具の操作板側の端縁との距離と略同一であることを特徴とするものである。
【００１６】
前記受具の前記操作板と反対側の下端側に外壁受金具に受具を載置するための段差部を形成したことを特徴とするものである。
【発明の効果】
【００１７】
本発明によれば、受具が中空穴に挿入された状態で、前記受具の下端近傍で前記中空穴付外壁パネルの厚さ方向と直交する面方向に形成された挿通孔に先端側から着脱自在に挿着された前記中空穴の幅より長さの長い支持具によって、前記中空穴付外壁パネルの下面を支えて吊上げロープによって吊上げ搬送するので、支持具の挿通孔への挿入、引き抜きに際して、支持具の移動方向及び着脱場所に障害となる外壁受金具がないために、接触することがなくなり作業がスムーズに進行する。これは支持具の長さが中空穴の幅より長いので、中空穴を形成する外壁パネル内部の仕切り部材の下面が支持具の両端によって支えられて吊上げられるからである。
【００１８】
又、前記支持具の後端側に固定され、且つ、該支持具と所定間隔を開けて略平行な側面部を有する操作板を具備することにより、この操作板を作業者が手で持って操作できるので支持具の挿通孔への挿脱作業が容易になる。この操作板に手掴み部用の開口部が形成されていればなお作業能率が向上する利点がある。
【００１９】
前記支持具の先端部と前記側面部とが形成する間隔距離が、挿通孔の外周端と受具の操作板側の端縁との距離と略同一であるように形成しておけば、受具と操作板が直交する位置でしか支持具が挿通孔に入らなくなるので、常に操作板を掴み易い角度に保持できる。
【００２０】
又、前記操作板の側面部に前記挿通孔から前記支持具が抜けないようにするための抜け防止機構を具備すれば、搬送途中で外壁パネルが高所から落下する危険性を無くすることができる利点がある。この抜け防止機構は、前記側面部に前記受具の下端外周部が嵌まり込む凹部を形成したものとすれば、吊上げロープをクレーン等で吊上げる際に、徐々に外壁パネルが垂直方向に姿勢を変えてゆくに従って荷重が支持棒に掛かって来るときに受具の下端外周面が自然と凹部内に入り込んで操作板が不動の状態になるためにこれに固定された支持具も不動の状態になり抜け出ることができなく安全を維持できる。
【００２１】
更に又、前記操作板の表面に手挟み防止用の突出部を設けた場合には、操作板を持って作業中に操作板が受具方向へ回転した時でもこの突出部が操作板と受具の側面との間に隙間を作るので安全である。
【００２２】
前記受具の前記操作板と反対側の下端側に外壁受金具に受具を載置するための段差部を形成することによって、クレーンで所定場所に載置された外壁パネルの重量を外壁受金具に預けられるので、安全に支持具を受具から抜くことができる。
【図面の簡単な説明】
【００２３】
【図１】本発明の中空穴付外壁パネル施工用吊具の第１実施形態の全体斜視図。
【図２】支持具と操作板の平面説明図。
【図３】図２のＡ−Ａ線断面図。
【図４】図１のＢ−Ｂ線断面説明図。
【図５】受具と吊上げ用ロープとの掛着状態の断面説明図。
【図６】図５の側面図。
【図７】本発明の中空穴付外壁パネル施工用吊具の第２実施形態の全体斜視図。
【図８】支持具と操作板の平面説明図。
【図９】図８のＣ−Ｃ線断面図。
【図１０】受具の段差部を外壁受金具に載置した状態の要部説明図。
【図１１】図１１の裏面図。
【図１２】中空穴付外壁パネルを施工現場で積層した状態の図。
【図１３】中空穴の一端側開口から吊上げ用ロープを通して他端側開口から出た受具に            支持具と操作板を取り付けた状態の説明図と要部拡大説明図。
【図１４】吊上げ用ロープで中空穴付外壁パネルを吊上げ始めた状態の説明図と要部拡大説明図。
【図１５】吊上げて搬送状態の説明図。
【図１６】図１０の状態から支持具を引き抜き作業が終了した状態の図。
【図１７】従来技術の説明図
【図１８】特許文献１の従来技術の説明図。
【図１９】図１８の要部詳細説明図。
【発明を実施するための形態】
【００２４】
この発明の最良の実施形態について以下図面を参照しつつ説明する。この発明の中空穴付外壁パネル施工用吊具（以下、単に吊具という。）１は、図１に示されるように、受具２と支持具３とを主構成要素としたものである。
【００２５】
受具２は、図１、５，６に良く表れているように、断面Ｕ字部２１を挟んでその両側に２つの側板２２を上方部に具備し、下方部に前記支持具３を挿入する挿通孔２３を形成してなるものである。該受具２は、外壁パネルＰの内部で一端側から他端側へ貫通している縦長な中空穴Ｓに出入りできる程度の断面が四角形の縦横幅の寸法を具備している。中空穴Ｓの縦寸法は外壁パネルＰの厚み方向長さ以下であり、横幅寸法即ち厚み方向に直交する外壁パネルＰの面方向の寸法は内部空間に設けられた仕切り部材Ｐ１の間隔距離によって定められる。この間隔距離は外壁パネルＰに必要とされる強度の強弱によって外壁パネルＰ毎に異なるので、汎用性を持たせるにはある程度の小型形状の受具２が好適である。
【００２６】
前記２つの側板２２には、掛着軸２４の両端部が支持されており、更にこの掛着軸２４には、クレーン等に一端側を吊上げ自在に連結されている吊上げ用ロープＲの他端側が連結される掛着部２５が形成されている。又、掛着軸２４の連結されている吊り上げ用ロープＲの両側には、丸ワッシャー２２ａが嵌め込まれて、断面Ｕ字部２１の間隔が遊びをゆすることなく塞がれている。
【００２７】
挿通孔２３の孔形状は支持具３の断面形状が円形であればそれに対応したものとなるが、支持具３の断面形状によって適宜変化する。又、図１に示すこの実施形態では受具２の全体が断面Ｕ字部２１を形成しているが、２つの側板２２が必要な上方部だけとして下方部はＵ字の谷部がない方が挿通孔２３に掛かる支持部３から伝わる外壁パネルＰの荷重を挿通孔２３の内面全体で受け止めることができより安定する。
【００２８】
受具２の下方部の一端側の角部には、前記挿通孔２３の上方端よりやや高い位置に一部切り欠きした段差部２６と、この段差部２６によって形成された段差面２６ａが形成されている。
【００２９】
前記支持具３は、前記挿通孔２３に挿通して外壁パネルＰの荷重を支える役目を有するもので、その断面形状は図１等に示すように円形であっても他の形状であっても良いが、円形の場合には挿通孔２３の内部で回転できる利点がある。又、支持具３の長さは、とくに限定されるものではないが、受具２の横幅よりは長くして受具２の両横側面から外側へ突出して、且つ、外壁パネルＰの中空穴Ｓを形成する２つの仕切り部材Ｐ１の間隔距離よりは長くなければならない。又、直線状であっても後端側がＬ字形に屈曲していても良い。屈曲している場合には手掴みとして抜き差し方向への操作がしやすくなるのに加えて、操作板４との連結がし易くなる。
【００３０】
操作板４は、前記支持具３を操作し易くするための板材であって、前記挿通孔２３の開孔方向に略平行で且つ同高さ位置となるような側面部４１を有し、この側面部４１と直角方向の一側端面４２には前記支持具３が溶接等によって固定されている。この実施形態は、支持具３の後端側をＬ字形に屈曲した例の場合であるが、直線状の場合には、図７に示す他の実施形態のように、受具３側の側面部４１に溶接等により固定する。図１に示すＬ字形とした方が、操作板４との溶接固定４３の面積が多く取れるので、剥がれ落ちることなくより安定する利点がある。支持具３と操作板４を一体成型してもよいことは勿論である。又、この操作板４には、開口された手掴み部４４が設けられており、これによって作業者は吊上げ用ロープＲに吊られて搬送中の外壁パネルＰを所望の取付位置へ引っ張って誘導することが出るので、正確な作業を安全で効率よく行える利点がある。吊上げ用ロープＲの原材料は、鋼鉄、合成樹脂、植物繊維等その種類は問われない。
【００３１】
前記操作板４の側面部４１には、搬送中のクレーン等による吊上げ用ロープＲから外壁パネルＰが落下しないようにするために、支持具３の挿通孔２３からの抜け防止を目的とした抜け防止機構５が設けられている。この実施形態における抜け防止機構５は、前記操作板４の側面部４２に形成した凹部４５であり、この凹部４５の長さは前記受具２の横幅方向の長さと較べて若干長い程度の長さであって、搬送時に操作板４の自重によって操作板４が支持軸３を中心にして回動した時に受具２の下方の端部がこの凹部４５の内部に納まり、その結果、受具２の支持具３に対する相対的移動が規制されて抜け防止機構５が作用することになる。抜け防止機構５はこの実施形態に限定されることなく、実質的に同じ効果を生じるものであればその構成に捕らわれない。
【００３２】
更に又、前記支持具３と平行な前記側面部４１との間隔距離Ｌは、挿入孔２３の外周端と受具２の操作板４側の端縁との距離と略同一であるように設定することによって、操作板４は受具２と直角を形成していない時には支持具３を挿通孔２３に挿入できないようにして、抜け防止機構５が安全に作用するようにしている。更に、前記支持具３の後端側では側面部４１との間隔距離が前記間隔距離Ｌより狭くなるようにして、突っ込み過ぎを防止している。又、図７に示すように、操作板４の表面には、必要に応じて指の厚さより長さの長い突出部４６が設けられていて、操作中に操作板４が支持具３を中心に受具２方向に意に反して回転した場合でも、指が圧迫されて怪我がしないようにする安全対策が講じられている。
【００３３】
上記構成からなるこの発明の実施形態の第１の実施形態の吊具１（図１〜３参照）の使用について、順に説明する。施工現場に搬送されて積層されて一方の端部から複数の中空穴Ｓを見せている外壁パネルＰ（図１２参照）の最上段の一端部開口から先端に固定されている受具２を入れて該受具２の端部が他方の端部開口から突出する位置まで押し込む（図１３参照）。中空穴Ｓの内周面は凸凹しているために受具２が挿入途中で引っ掛って受具２が前進しない場合があるが、手元で受具２を先端の固定している吊り上げ用ロープＲを左右に回転させることで容易に引っ掛りを解消することが出来る。この左右の回転は、前記丸ワッシャー２２ａを使用しているために滑りが良く円滑に行える。
【００３４】
そして、先端が他端部開口から突出した状態で図２に示す支持具３の後端部の屈曲部分を固定している操作板４を持って、支持具３の先端部を挿入孔２３の奥まで差し込む。この時、操作板４が受具２に対して直角を有していない時には前記した理由によって入れられない。この状態では、抜け防止機構５を形成する側面部４１に形成した凹部４５に受具２の側面が面しており、作業者が操作板４から手を離すと同時に操作板４は自重によって支持具３を中心に回転して受具２の下方側面が凹部４５の間に入り込み受具２に対する支持具３の軸方向への移動が阻止される（図４参照）。従ってこの操作板４に固定されている支持具３も受部２の挿通孔２３内において回動はするものの軸方向への移動はしないので、支持具３が挿通孔２３から抜け出ることはなく安全である。このような支持具３の挿通孔２３からの抜け防止機構５はこの実施形態に限定されるものではなく、他の手段によるものであってもよい。なお、前記操作板４の表面に手挟み防止用の突出部４６を設けた場合には、操作板４を持って作業中に操作板４が受具２方向へ回転した時でもこの突出部４６が操作板４と受具２の側面との間に隙間を作るので安全である。
【００３５】
このような受具２の中空穴Ｓへの取付作業を外壁パネルＰの面方向の両側で行い、１枚の外壁パネルＰで２箇所取り付けることによって、一方の端部開口から出ている２本の吊上げ用ロープＲの先端を結んで、図外のクレーン等のフックに引っ掛けて徐々に持ち上げる（図１４参照）。これによって、外壁パネルＰの先端側が持ち上がり、同時に外壁パネルＰの荷重は仕切り部材Ｐ１から支持具３に伝わり、この支持具３は２つの側板２２から掛着軸２４、掛着部２５、吊上げ用ロープＲを通じてクレーン等で持ち上げられてゆく。又、操作板４は自重によって支持具３の回転を抜け防止機構５の凹部４５内により強く密着するように回転させるために、なお一層抜け出ることを防止でき搬送途中の作業の安全を保持できる。
【００３６】
そして、図１５に示すように、外壁パネルＰが垂直方向になって持ち上がった状態で、所定の施工位置までクレーン等で搬送する。なお、支持具３がこの実施形態のように円柱体であれば、外壁パネルＰの仕切り部材Ｐ１を支えるのは、線接触の２箇所のみであるが、支持具３の断面形状を多角形状とすれば面接触となるために、仕切り部材Ｐ１の接触面との摩擦も大きくなりより安定する。この場合には、挿通孔２３内で支持具３は回転しなくなるので、異なる方式の抜け防止機構５が必要である
【００３７】
所定の位置まで搬送されると、図１０に示すように、受具２に形成している段差部２６の段差面２６ａが基礎の土台上面或いは下方で既に設置が完了している外壁パネルＰの上面Ｋの上に置かれている外壁受金具Ｇの上方に載置されるようにクレーン等を操作しつつ操作板４を作業者が手で握って誘導しつつ吊り下ろしてゆく。吊り降ろされた時点で、外壁パネルＰの荷重は、支持具３から外壁受金具Ｇに移るので、支持具２はフリーとなり、挿入孔２３から外壁パネルＰの面方向へ容易に引き抜くことができる。この引き抜きは、図１６に示すように、操作板４を作業者が手でもって受具２と直角になる位置まで回動させて凹部４５から脱出して抜け防止機構５を解除してから行うだけで良いので作業は簡単である。又、引き抜き方向の前記上面Ｋ上方には外壁受金具Ｇの高さ分のクリアランスが形成されているので、引き抜きに際しての障害は全くない。図１０で、Ｈは外壁受金具Ｇに設けられている外壁パネルＰの直立維持具で、これによって吊具１を取り外しても外壁パネルＰが倒れないように支持されている。
【００３８】
上記のような作業が終了してから、クレーン等によって吊上げ用ロープＲを吊上げて、中空穴Ｓの下方にある吊具１の受具３を上方の開口から引き出して作業は終了する。このような作業を外壁パネルＰ１枚毎に行い建物の外壁を下方から順に構築してゆく。
【００３９】
以上の説明で明らかのように、この発明の吊具１を使用すれば、外壁パネルＰの荷重を載せる支持具３からの受具２の取付取り外しが、外壁パネルＰの面方向、即ち、外壁パネルＰの厚さ方向と直交する方向であるために、従来技術の有していたバール使用による作業の困難性や危険性を解消できる利点を有している。
【産業上の利用可能性】
【００４０】
この発明は、中空穴付外壁パネルを建物に取付施工する施工工事には極めて有効に使用でき、作業能率の向上と作業の危険性を解消できるので、今後の大幅な利用拡大が見込まれる有用な発明であると確信する。
【符号の説明】
【００４１】
１    吊具（中空穴付外壁パネル施工用吊具）
２    受具
２１  Ｕ字部
２２  側板
２３  挿通孔
２４  掛着軸
２５  掛着部
２６  段差部
２６ａ段差面
３    支持具
４    操作板
４１  側面部
４２  側端面
４３  溶接
４４  手掴み部
４５  凹部
４６  突出部
５    抜け防止機構
Ｐ    外壁パネル（中空穴付外壁パネル）
Ｐ１  仕切り部材
Ｓ    中空穴
Ｒ    吊上げ用ロープ
Ｎ    ナイロンスリング
Ｇ    外壁受金具
Ｋ    基礎の土台又は外壁パネルの上面
【要約】
【課題】バール等の工具を用いなくとも容易に支持具を取り外す事が出来、作業者の手を挟む危険性もなく、外壁パネルへの取付部材の剥がれ落ちもほとんど発生しない中空穴付外壁パネル施工用吊具を提供すること。
【解決手段】中空穴付外壁パネル１の中空穴Ｓに出入り可能であって、吊上げ用ロープRを掛着させる掛着部２５を備えた断面Ｕ字部２１を有する受具２と、該受具２が前記中空穴Ｓに挿入された状態で、前記受具２の下端近傍で前記中空穴付外壁パネル１の厚さ方向と直交する面方向に形成された挿通孔２３に先端側から着脱自在に挿着された前記中空穴Ｓの幅より長さの長い支持具３と、を具備する中空穴付外壁パネル施工用吊具１としたこと。
【選択図】図１【図１】
0006923285.tif 000002
【図２】
0006923285.tif 000003
【図３】
0006923285.tif 000004
【図４】
0006923285.tif 000005
【図５】
0006923285.tif 000006
【図６】
0006923285.tif 000007
【図７】
0006923285.tif 000008
【図８】
0006923285.tif 000009
【図９】
0006923285.tif 000010
【図１０】
0006923285.tif 000011
【図１１】
0006923285.tif 000012
【図１２】
0006923285.tif 000013
【図１３】
0006923285.tif 000014
【図１４】
0006923285.tif 000015
【図１５】
0006923285.tif 000016
【図１６】
0006923285.tif 000017
【図１７】
0006923285.tif 000018
【図１８】
0006923285.tif 000019
【図１９】
0006923285.tif 000020